(57)【要約】【課題】開錠する場所においては、速やかに開錠することのできる施錠システムを提供する。【解決手段】施錠装置１１が、（ａ）電動式施錠手段（１９、２０、２１、２２、２３、２４、２７、２８）と、電力供給を受けるための施錠側アンテナ基板１３と、施錠装置１１のＩＤを記憶するＩＤ施錠記憶手段１４１と、を有すること、（ｂ）鍵装置３が、電源線１５１と、電力供給を行うための鍵側アンテナ１６と、施錠側制御基板１４に記憶されたＩＤを入力する信号線１５２と、信号線１５２により入力されたＩＤを記憶するＩＤ鍵記憶手段１８１と、を有すること、（ｃ）施錠装置１１を開錠するときに、鍵側アンテナ１６から施錠側アンテナ基板１３に電力を供給し、鍵側アンテナ１６がＩＤ施錠記憶手段１４１に記憶されているＩＤを読み取り、読み取ったＩＤが、ＩＤ鍵記憶手段１８１が記憶するＩＤと一致した場合に、電動式施錠手段を開錠する。【選択図】  図１
2015092052.tif 000002
【特許請求の範囲】
【請求項１】
施錠装置と、前記施錠装置の施錠手段を開錠または施錠するための鍵装置とを有する施錠開錠システムにおいて、
前記施錠装置が、電動式施錠手段と、電力供給を受けるための施錠側アンテナと、前記施錠装置のＩＤを記憶するＩＤ施錠記憶手段と、を有すること、
前記鍵装置が、電源と、電力供給を行うための鍵側アンテナと、前記ＩＤ施錠記憶手段に記憶されたＩＤを入力するＩＤ入力手段と、前記ＩＤ入力手段により入力されたＩＤを記憶するＩＤ鍵記憶手段と、を有すること、
前記施錠装置を開錠するときに、前記鍵側アンテナから前記施錠側アンテナに電力を供給し、前記鍵側アンテナが前記ＩＤ施錠記憶手段に記憶されているＩＤを読み取り、読み取ったＩＤが、前記ＩＤ鍵記憶手段が記憶するＩＤと一致した場合に、前記電動式施錠手段を開錠すること、
を特徴とする施錠開錠システム。
【請求項２】
請求項１に記載する施錠開錠システムにおいて、
前記施錠装置を施錠するときに、前記ＩＤ施錠記憶手段に暗号化された暗号ＩＤを書き込むこと、
前記暗号ＩＤは、前記施錠装置が集められる配送基地に送信され、前記配送基地で、前記鍵装置の前記ＩＤ入力手段により入力されること、
を特徴とする施錠開錠システム。
【請求項３】
請求項１または請求項２に記載する施錠開錠システムにおいて、
前記電動式施錠手段は、モータと、上下に移動するスライドネジを有し、
前記電動式施錠手段により開錠するときに、前記モータを駆動し、前記スライドネジを下降させるだけで開錠することができること、
を特徴とする施錠開錠システム。
【請求項４】
請求項１または請求項２に記載する施錠開錠システムにおいて、
前記施錠装置は、電子式南京錠であること、
を特徴とする施錠開錠システム。
【請求項５】
請求項１乃至請求項４のいずれか１つに記載する施錠開錠システムで使用される施錠装置付バッグにおいて、
前記施錠装置が、電動式施錠手段と、電力供給を受けるための施錠側アンテナと、前記施錠装置のＩＤを記憶するＩＤ施錠記憶手段と、を有すること、
を特徴とする施錠装置付バッグ。
【発明の詳細な説明】
【技術分野】
【０００１】
本発明は、施錠装置と、施錠装置の施錠手段を開錠または施錠するための鍵装置とを有する施錠開錠システムに関する。
【背景技術】
【０００２】
各所に設けられたＡＴＭ装置において、現金の回収は、ＡＴＭ装置の設置場所でガードマンが現金を、施錠装置が付いたバッグに詰めて通常の鍵を用いて施錠を行っている。それらの施錠装置付バッグは、銀行内の一室に集められ、銀行員により鍵で開錠されて現金を確認する作業が毎日行われている。
一方、宅配便等のトラックの施錠に南京錠が使用されている。しかし、配送途中で品物が紛失する等のトラブルが起きているため、電子キー等で南京錠の開閉を行うことが望まれている。また、南京錠の開閉履歴を記憶することが望まれている。そのためには、南京錠に電池を装着することが考えられる。
【先行技術文献】
【特許文献】
【０００３】
【特許文献１】特開２０１２−２２５０１７号公報
【特許文献２】特開２０００−３１４２５３号公報
【発明の概要】
【発明が解決しようとする課題】
【０００４】
しかしながら、施錠装置付バッグの施錠装置は、銀行の外では容易に開錠されては困るが、銀行内の一室で開錠するときには、速やかに開錠できることが望まれている。しかし、従来は、銀行員が鍵で１つずつ開錠しなければならず、手間がかかって煩雑であった。
また、南京錠に電池を装着すると南京錠が大型化し取り扱いが難しくなる問題がある。また、電池の交換等が煩雑となる問題がある。
【０００５】
そこで、本発明は、上記問題点を解決するためになされたものであり、開錠する場所においては、速やかに開錠することのできる施錠システムを提供することを目的とする。
【課題を解決するための手段】
【０００６】
上記目的を達成するために、本発明の一態様における施錠開錠システム、及び施錠装置付バッグは、以下の構成を有する。
（１）施錠装置と、前記施錠装置の施錠手段を開錠または施錠するための鍵装置とを有する施錠開錠システムにおいて、前記施錠装置が、電動式施錠手段と、電力供給を受けるための施錠側アンテナと、前記施錠装置のＩＤを記憶するＩＤ施錠記憶手段と、を有すること、前記鍵装置が、電源と、電力供給を行うための鍵側アンテナと、前記ＩＤ施錠記憶手段に記憶されたＩＤを入力するＩＤ入力手段と、前記ＩＤ入力手段により入力されたＩＤを記憶するＩＤ鍵記憶手段と、を有すること、前記施錠装置を開錠するときに、前記鍵側アンテナから前記施錠側アンテナに電力を供給し、前記鍵側アンテナが前記ＩＤ施錠記憶手段に記憶されているＩＤを読み取り、読み取ったＩＤが、前記ＩＤ鍵記憶手段が記憶するＩＤと一致した場合に、前記電動式施錠手段を開錠すること、を特徴とする。
【０００７】
（２）（１）に記載する施錠開錠システムにおいて、前記施錠装置を施錠するときに、前記ＩＤ施錠記憶手段に暗号化された暗号ＩＤを書き込むこと、前記暗号ＩＤは、施錠される発送基地から開錠される配送基地に送信され、前記配送基地で、前記鍵装置の前記ＩＤ入力手段により入力されること、を特徴とする。
【０００８】
（３）（１）または（２）に記載する施錠開錠システムにおいて、前記電動式施錠手段は、モータと、上下に移動するスライドネジを有し、前記電動式施錠手段により開錠するときに、前記モータを駆動し、前記スライドネジを下降させるだけで開錠することができること、を特徴とする。
【０００９】
（４）（１）または（２）に記載する施錠開錠システムにおいて、前記施錠装置は、電子式南京錠であること、を特徴とする。
【００１０】
（５）（１）乃至（３）のいずれか１つに記載する施錠開錠システムで使用される施錠装置付バッグにおいて、前記施錠装置が、電動式施錠手段と、電力供給を受けるための施錠側アンテナと、前記施錠装置のＩＤを記憶するＩＤ施錠記憶手段と、を有すること、を特徴とする。
【発明の効果】
【００１１】
本発明の施錠開錠システム、及び施錠装置付バッグは、以下のような作用、効果を奏する。
（１）施錠装置と、前記施錠装置の施錠手段を開錠または施錠するための鍵装置とを有する施錠開錠システムにおいて、前記施錠装置が、電動式施錠手段と、電力供給を受けるための施錠側アンテナと、前記施錠装置のＩＤを記憶するＩＤ施錠記憶手段と、を有すること、前記鍵装置が、電源と、電力供給を行うための鍵側アンテナと、前記ＩＤ施錠記憶手段に記憶されたＩＤを入力するＩＤ入力手段と、前記ＩＤ入力手段により入力されたＩＤを記憶するＩＤ鍵記憶手段と、を有すること、前記施錠装置を開錠するときに、前記鍵側アンテナから前記施錠側アンテナに電力を供給し、前記鍵側アンテナが前記ＩＤ施錠記憶手段に記憶されているＩＤを読み取り、読み取ったＩＤが、前記ＩＤ鍵記憶手段が記憶するＩＤと一致した場合に、前記電動式施錠手段を開錠すること、を特徴とするので、開錠するときに、鍵装置を施錠装置に近づけるだけで施錠装置を開錠できるため、開錠する場所においては、速やかに開錠できる。
【００１２】
（２）（１）に記載する施錠開錠システムにおいて、前記施錠装置を施錠するときに、前記ＩＤ施錠記憶手段に暗号化された暗号ＩＤを書き込むこと、前記暗号ＩＤは、施錠される発送基地から開錠される配送基地に送信され、前記配送基地で、前記鍵装置の前記ＩＤ入力手段により入力されること、を特徴とするので、毎回、暗号ＩＤを変更でき、かつ暗号ＩＤを、鍵装置を操作する人に知らせる必要がないため、施錠装置を開錠できる条件が狭く限定でき、安全性を高めることができる。
【００１３】
（３）（１）または（２）に記載する施錠開錠システムにおいて、前記電動式施錠手段は、モータと、上下に移動するスライドネジを有し、前記電動式施錠手段により開錠するときに、前記モータを駆動し、前記スライドネジを下降させるだけで開錠することができること、を特徴とするので、最小の電力のみで電動式施錠手段を開錠することができる。
【００１４】
（４）（１）または（２）に記載する施錠開錠システムにおいて、前記施錠装置は、電子式南京錠であること、を特徴とするので、外付けすることができるため、容易に施錠することができる。また、南京錠に電池を装着することなく、南京錠の開閉を行うことができ、開閉履歴を記憶することができるため、宅配システムのセキュリティを向上させることができる。
【００１５】
（５）（１）乃至（４）のいずれか１つに記載する施錠開錠システムで使用される施錠装置付バッグにおいて、前記施錠装置が、電動式施錠手段と、電力供給を受けるための施錠側アンテナと、前記施錠装置のＩＤを記憶するＩＤ施錠記憶手段と、を有すること、を特徴とするので、施錠装置に電池を搭載する必要がないため、施錠装置を小型化かつ低廉化することができる。
【図面の簡単な説明】
【００１６】
【図１】第１実施形態に係る施錠開錠システムの斜視図である。
【図２】施錠装置を含むバッグの一部断面図である。
【図３】バッグの図２に示すＡ矢視図である。
【図４】バッグの図２に示すＢ矢視図である。
【図５】バッグの図２に示すＣ矢視図である。
【図６】施錠前状態の施錠装置を示す斜視図である。
【図７】施錠状態の施錠装置の断面図である。
【図８】開錠状態の施錠装置の断面図である。
【図９】鍵装置の回路図である。
【図１０】施錠装置の回路図である。
【図１１】鍵側制御基板と施錠側制御基板の通信手順を示す図である。
【図１２】第２実施形態に係る施錠開錠システムの図である。
【図１３】施錠状態を示す電子式南京錠の断面図である。
【図１４】開錠状態を示す電子式南京錠の断面図である。
【図１５】施錠途中の状態を示す電子南京錠の断面図である。
【図１６】電子式南京錠の側面図である。
【図１７】図１６のＥ−Ｅ断面図である。
【発明を実施するための形態】
【００１７】
次に、本発明に係る施錠開錠システム１の一実施の形態について図面を参照して説明する。
＜第１実施形態＞
（施錠開錠システムの構成）
図１は、第１実施形態に係る施錠開錠システム１の図である。図２は、バッグ１０の一部断面図であり、図３、図４、図５は、それぞれ図２のバッグ１０のＡ矢視図、Ｂ矢視図、Ｃ矢視図である。図９は、鍵装置３の回路図であり、図１０は、施錠装置１１の回路図である。
【００１８】
施錠開錠システム１は、図１に示すように、施錠装置１１を備えるバッグ１０と、バッグ１０の施錠手段を開錠または施錠するための鍵装置３により構成されている。
バッグ１０は、施錠装置１１とバッグ本体１２から構成されている。施錠装置１１には、図２に示すように、電力供給及び通信を行っている施錠側アンテナを表面に設けた施錠側アンテナ基板１３がバッグ１０の外側に配置され、それと平行して、施錠側制御基板１４がバッグ１０の内側に配置されている。施錠側制御基板１４には、図１０に示すように、暗号化された暗号ＩＤを記憶するＩＤ施錠記憶手段１４１とモータを駆動するモータ駆動手段１４２を含む。施錠側アンテナ基板１３と施錠側制御基板１４との間には、図２に示すように、減速機が付いているモータ２４が配置されている。モータ２４の出力軸には、モータ連動ネジ２２が取り付けられている。押しバネ２３の一端は、モータ２４に当接しており、モータ連動ネジ２２の下方を囲んでいる。モータ連動ネジ２２の上方は、両端面に中空部を有しているスライドネジ２１の仕切り板より下方に係合している。モータ２４を駆動することにより、モータ連動ネジ２２が回転し、スライドネジ２１を上下に移動することができる。
【００１９】
さらに、スライドネジ２１の仕切り板の上面には、ロックピンバネ２０の一端が当接している。ロックピンバネ２０の他端は、スライドネジ２１の内側を摺動するロックピン１９の下面に当接し、ロックピン１９を上向きに付勢している。ロックピン１９の上面には、支軸３２に回転可能に取り付けられたカム２８が配置されている。カム２８は、段差部２８ａ、突出部２８ｂ、切欠部２８ｃを有する。支軸３２の周りにはトーションバネ２７が取り付けられている。トーションバネ２７は、その一端は施錠装置１１のボディ３３に当接し、他端はカム２８に当接しており、時計方向に付勢している。ロックピン１９は、ボディ３３に形成された孔部３１を介して、カム２８の回転により、カム２８の段差部２８ａに当接する。段差部２８ａが孔部３１から外れる位置に移動すると孔部３１から突出する。カム２８、ロックピン１９、ロックピンバネ２０、スライドネジ２１、モータ連動ネジ２２、押しバネ２３、モータ２４により、請求項に記載の電動式施錠手段が構成される。
【００２０】
バッグ本体１２は、布製であり、ジッパ２９が側面に形成されている。ジッパ２９上には、ジッパ２９を開閉するファスナ２６が取り付けられている。ファスナ２６には、孔２５ａが形成されているファスナ取手２５が取り付けられている。ファスナ取手２５をボディ３３に形成された挿入部３０に押し込むと、ファスナ取手２５に押されてトーションバネ２７が圧縮し、カム２８が回転する。これと同時に、カム２８の突出部２８ｂがファスナ取手２５の孔２５ａに入り込む。
【００２１】
鍵装置３は、図９に示すように、鍵側アンテナ１６と鍵側制御基板１８を内部に収納しており、側面にケーブル１５を有する。鍵側アンテナ１６は、電力供給及び通信を行っている。ケーブル１５には、２本の電源線１５１と、請求項に記載するＩＤ入力手段に相当する複数の信号線１５２を別々に有している。ケーブル１５は、外部制御装置１７に接続している。外部制御装置１７は、復号機１７１を含んでいる。また、鍵側制御基板１８は、信号線１５２により入力されたＩＤを記憶するＩＤ鍵記憶手段１８１を含んでいる。請求項に記載する電源は、本実施形態ではケーブル１５に接続する電源線１５１に相当するが、電源は、鍵装置３内に搭載されるバッテリによるものでも良い。
すなわち、本実施形態では、鍵装置３と外部制御装置１７は、ケーブル１５により接続されているが、ケーブル１５がなくても、鍵装置３内にバッテリを搭載することにより使用できる。ケーブル１５がないので、作業性が良い。バッテリは、充電器に接続して充電することができる。また、バッテリを充電器に接続するとき、外部制御装置１７により、鍵装置３のＩＤ鍵記憶手段１８１に記憶されている情報が読み取られる。あるいは、無線により鍵装置３のＩＤ鍵記憶手段１８１に記憶されている情報が外部制御装置１７により読み取られる。
【００２２】
（施錠開錠システムの作用・効果）
次に、施錠開錠システム１の作用・効果を詳細に説明する。図６は、施錠前状態の施錠装置１１を示した図であり、図７は、施錠状態の施錠装置１１を示した図である。図８は、開錠状態の施錠装置１１を示した図である。図１１は、鍵側制御基板１８と施錠側制御基板１４の通信手順を示す図である。
はじめに、バッグ１０を施錠する方法を説明する。バッグ本体１２のファスナ２６を、ジッパ２９を閉じつつ、図６に示す位置まで移動する。次に、ファスナ取手２５を矢印Ｘ方向に挿入部３０の中へ入れる。ファスナ取手２５に押されて、カム２８が支軸３２を中心に、トーションバネ２７を圧縮しつつ、反時計回りに回転される。カム２８が回転することにより、カム２８の突出部２８ｂは、ファスナ取手２５の孔２５ａに入り込み、段差部２８ａは、孔部３１から外れる位置に移動する。
【００２３】
図６に示す施錠前状態の電動式施錠手段のうち、スライドネジ２１はモータ連動ネジ２２の上方に係合しており、最上位置にある。ロックピンバネ２０は、圧縮された状態でロックピン１９の上面にカム２８が当接している。カム２８の段差部２８ａが、カム２８の回転により孔部３１から外れる位置に移動すると、図７に示すように、圧縮していたロックピンバネ２０の弾性力により、ロックピン１９が上に押し上げられる。その結果、ロックピン１９は、切欠部２８ｃに突出し、施錠装置１１は施錠状態となる。すなわち、ファスナ取手２５を挿入部３０から引き抜こうとしても、切欠部２８ｃに突出したロックピン１９の上部が、段差部２８ａに当接するため、ファスナ取手２５を引き抜くことはできない。このように、いったん施錠装置１１を施錠すると、モータ２４を駆動させない限り開錠することができない。
【００２４】
次に、施錠側制御基板１４のＩＤ施錠記憶手段１４１に暗号化されたＩＤを書き込む方法を説明する。施錠装置１１を施錠した後、施錠装置１１をＡＴＭ装置等に設置されたアンテナにかざすことにより、暗号ＩＤが施錠側制御基板１４に書き込まれる。この暗号ＩＤは、別途、ＡＴＭ装置等からバッグ１０が集められる配送基地の外部制御装置１７に送信される。送信された暗号ＩＤは、図９に示す復号機１７１により復号される。復号されたＩＤは、信号線１５２を介して鍵側制御基板１８に入力される。入力されたＩＤはＩＤ鍵記憶手段１８１に記憶される。なお、暗号ＩＤが外部制御装置１７に送信される際、施錠時間も送信され、記憶される。
このように、毎回、暗号ＩＤを変更でき、かつ暗号ＩＤを、鍵装置３を操作する人に知らせる必要がないため、施錠装置１１を開錠できる条件が狭く限定でき、安全性を高めることができる。また、施錠時間が記憶されるため、より安全性を高めることができる。さらに、ＩＤは暗号化されているため、情報の送受信を解析することはできず、専用の鍵装置でしか開錠できないため、安全性を高めることができる。
【００２５】
施錠されたバッグ１０が配送基地で集配された後、鍵装置３により、ＩＤを照合する方法と、鍵装置３が施錠装置１１に電力を供給及び通信を行う方法について説明をする。
鍵装置３を、図１に示すように施錠装置１１に近づける。鍵装置３は、図９に示すように、電源線１５１から鍵側制御基板１８に電力が供給されている。鍵側制御基板１８から鍵側アンテナ１６に電流が流れると、磁束が発生し、対向する施錠側アンテナ基板１３に起電力が発生する。この起電力により、電力及び信号が供給される。このように、図１１に示すように、（Ａ）施錠側制御基板１４に電源が付与される。電源が付与されると、（Ｂ）施錠側制御基板１４は鍵側制御基板１８に暗号ＩＤを送信する。鍵側制御基板１８は、その暗号ＩＤを読み取り、復号機１７１により暗号ＩＤを復号する。復号されたＩＤをＩＤ鍵記憶手段１８１により記憶していたＩＤと照合する。復号されたＩＤとＩＤ鍵記憶手段１８１により記憶していたＩＤが一致すると、鍵側制御基板１８より、（Ｃ）モータ駆動指令がなされ、施錠側制御基板１４のモータ駆動手段１４２によりモータ２４に電力が供給される。
【００２６】
従来、モータを駆動するためには、多くの電流を必要とする。ここで、施錠開錠システム１によれば、電動式施錠手段の機構により、最小の電力のみで駆動することができる。すなわち、モータ２４を駆動するのは、ロックピンバネ２０を伸縮させるためにスライドネジ２１を上下させているだけである。モータ２４により、カム２８やロックピン１９を直接動かしているのではない。そのため、バッグ１０の施錠装置１１に電池を搭載しなくても、鍵装置３によるアンテナを介した最小の電力でモータ２４を駆動することができる。よって、電池を余分に準備する必要はなく、電池切れ等による電池交換の手間を省くことができ、作業の非効率性を回避することができる。また、バッグ１０を小型化かつ低廉化することができる。
【００２７】
モータ２４に電力が供給されると、モータ２４の出力軸にあるモータ連動ネジ２２は回転する。スライドネジ２１は、図７、図８に示すように、上から下へ移動する。スライドネジ２１の下面が押しバネ２３の上面に当接すると、スライドネジ２１はこれ以上移動しない。スライドネジ２１が下へ移動するのに伴い、スライドネジ２１にある仕切りの上面に当接しているロックピンバネ２０は伸長したまま、切欠部２８ｃに突出していたロックピン１９を段差部２８ａより下に移動する。段差部２８ａと当接していたロックピン１９がなくなることにより、カム２８は支軸３２を中心にトーションバネ２７の弾性力により時計回りに回転をする。これにより、突出部２８ｂはファスナ取手２５の孔２５ａから取り外される。ファスナ２６を矢印Ｙ方向へ引くことによりファスナ取手２５が施錠装置１１から取り外される。この結果、施錠装置１１は開錠する。同時に、開錠時間が外部制御装置１７に記憶される。
このように、開錠するときに、鍵装置３を施錠装置１１に近づけるだけで施錠装置１１を開錠できるため、開錠する場所においては、速やかに開錠することができる。また、特定の鍵でなくてもＩＤを読み取ることで開錠することができるため、鍵の紛失、盗難が発生しても、施錠装置を取り替える必要がない。さらに、開錠時間が記憶されるため、より安全性が高まる。ここで、例えば、施錠装置１１が開錠したときに、ＬＥＤを点灯させたり、ブザーにより音を出したりして、操作者に知らせるようにすると、効率性が高まる。
【００２８】
以上、説明したように、第１実施形態に係る施錠開錠システム１、及び施錠装置１１を有するバッグ１０によれば、施錠装置１１と、施錠装置１１の施錠手段を開錠または施錠するための鍵装置３とを有する施錠開錠システム１において、施錠装置１１が、（ａ）電動式施錠手段（ロックピン１９、ロックピンバネ２０、スライドネジ２１、モータ連動ネジ２２、押しバネ２３、モータ２４、トーションバネ２７、カム２８）と、電力供給を受けるための施錠側アンテナ（施錠側アンテナ基板１３）と、施錠装置１１のＩＤを記憶するＩＤ施錠記憶手段１４１と、を有すること、（ｂ）鍵装置３が、電源（電源線１５１）と、電力供給を行うための鍵側アンテナ１６と、施錠側制御基板１４に記憶されたＩＤを入力する信号線１５２と、信号線１５２により入力されたＩＤを記憶するＩＤ鍵記憶手段１８１と、を有すること、（ｃ）施錠装置１１を開錠するときに、鍵側アンテナ１６から施錠側アンテナ（施錠側アンテナ基板１３）に電力を供給し、鍵側アンテナ１６がＩＤ施錠記憶手段１４１に記憶されているＩＤを読み取り、読み取ったＩＤが、ＩＤ鍵記憶手段１８１が記憶するＩＤと一致した場合に、電動式施錠手段を開錠すること、を特徴とするので、開錠するときに、鍵装置３を施錠装置１１に近づけるだけで施錠装置１１を開錠できるため、開錠する場所においては、速やかに開錠できる。
【００２９】
施錠装置１１を施錠するときに、ＩＤ施錠記憶手段１４１に暗号化された暗号ＩＤを書き込むこと、暗号ＩＤは、施錠される発送基地から開錠される配送基地に送信され、配送基地で、鍵装置３の信号線１５２により入力されること、を特徴とするので、毎回、暗号ＩＤを変更でき、かつ暗号ＩＤを、鍵装置３を操作する人に知らせる必要がないため、施錠装置１１を開錠できる条件が狭く限定でき、安全性を高めることができる。
【００３０】
電動式施錠手段は、モータと２４、上下に移動するスライドネジ２１を有し、電動式施錠手段により開錠するときに、モータ２４を駆動し、スライドネジ２１を下降させるだけで開錠することができること、を特徴とするので、最小の電力のみで電動式施錠手段を開錠することができる。
【００３１】
施錠装置１１が、電動式施錠手段（ロックピン１９、ロックピンバネ２０、スライドネジ２１、モータ連動ネジ２２、押しバネ２３、モータ２４、トーションバネ２７、カム２８）と、電力供給を受けるための施錠側アンテナ（施錠側アンテナ基板１３）と、施錠装置１１のＩＤを記憶するＩＤ施錠記憶手段１４１と、を有すること、を特徴とするので、施錠装置付バッグに電池を搭載する必要がないため、施錠装置付バッグの施錠装置を小型化かつ低廉化することができる。
【００３２】
＜第２実施形態＞
（施錠開錠システムの構成）
図１２は、第２実施形態に係る施錠システム２の図である。図１３、図１４、図１５に、電子式南京錠４０の断面図を示す。図１３は、短シャフト４２ｂが錠本体４１に挿入され、ロックされている状態（施錠状態）を示し、図１４は、短シャフト４２ｂが錠本体４１から離脱した状態（開錠状態）を示している。また、図１５は、短シャフト４２ｂが錠本体４１に挿入されているが、ロックされていない状態（施錠途中の状態）を示す。図１６は、電子式南京錠４０の側面図であり、図１７は、図１６のＥ−Ｅ断面図を示す。
なお、第１実施形態と共通する構成については、第１実施形態と同一の符号を図面に付し、説明を割愛する。
【００３３】
施錠開錠システム２は、図１２に示すように、バッグ等を施錠する電子式南京錠４０と、バッグ等の施錠手段を開錠または施錠するための鍵装置３により構成されている。
電子式南京錠４０は、内部に中空部４１ｄを有する金属製の錠本体４１を備え、Ｕ字形状で一端部が錠本体４１に対して着脱自在なジョイントシャフト４２を有している。電子式南京錠４０には、図１７に示すように、電力供給及び通信を行っている施錠側アンテナを表面に設けた施錠側アンテナ基板５８が図１６に示すようにＥ−Ｅ断面に配置されている。施錠側アンテナ基板５８と並行して、施錠側制御基板５９がＦ−Ｆ断面に配置されている。なお、Ｆ−Ｆ断面は、Ｅ−Ｅ断面と同じであるため、図を省略する。
なお、第２実施形態に係る施錠側制御基板５９は、図１０において、第１実施形態に係る施錠側制御基板１４に相当する。また、施錠側アンテナ基板５８は、図１０において、施錠側アンテナ基板１３に相当する。さらに、モータ５１は、図１０において、モータ２４に相当する。
【００３４】
施錠側アンテナ基板５８と施錠側制御基板５９の間であって、錠本体４１の上面には、ジョイントシャフト４２の短シャフト４２ｂが着脱自在に挿入される短シャフト孔４１ａと、長シャフト４２ａが挿入される長シャフト孔４１ｂが形成されている。また、短シャフト孔４１ａと長シャフト孔４１ｂを連通する横孔４１ｃが形成されている。横孔４１ｃには、平板状のロッキングカム４６を挟んで一対のロック球４４、４５が取り付けられている。横孔の入口には、ロック球４４、４５が抜け出ないようにするための凸部（図示なし）が形成されている。ロッキングカム４６の中心には、回転軸４８の先端部が固定されている。回転軸４８の先端面は、樹脂製の押え板４７により回転自在に保持されている。
【００３５】
錠本体４１の中空部４１ｄには、電気系統の絶縁、各駆動部の摺動性を高めるため、樹脂製のケース４３が装着されている。ケース４３の上面には、凸部４３ｃが形成されており、凸部４３ｃに形成された保持孔４３ｄに、回転軸４８が回転可能に保持されている。ケース４３には、保持孔４３ｄに連続して少し径の大きい保持孔４３ｅが形成されており、保持孔４３ｅも回転軸４８を回転可能に保持している。
ケース４３には、長シャフト４２ａを摺動自在に保持するためのガイド孔４３ｂが形成されている。ガイド孔４３ｂには、長シャフト４２ａが摺動可能に装着されている。長シャフト４２ａには、抜け止め部材４２ｆが固設されている。抜け止め部材４２ｆは、ケース４３のガイド孔４３ｈによりガイドされ、長シャフト４２ａが錠本体４１から離脱しないための抜け止めとして機能している。
ケース４３には、長シャフト４２ａを検出するための摺動ノッチ５４を摺動可能に保持するノッチ摺動孔４３ｆが形成されている。ノッチ摺動孔４３ｆには、付勢バネ５５が付設されており、付勢バネ５５は、摺動ノッチ５４を長シャフト４２ａに当接する方向に付勢している。
【００３６】
ケース４３の中央部には、中空部４３ｇが形成されており、回転軸４８を回転させるためのモータ５１、モータ５１の回転軸４８に固設されたモータギア５０、回転軸４８に固設され、モータギア５０と係合している回転軸ギア４９、回転軸４８の下端部に固設され、検出ノッチ５２ａが形成された検出板５２、検出ノッチ５２ａを検出するためのリミットスイッチである施錠位置検出手段５３、摺動ノッチ５４により長シャフトの位置を確認するためのリミットスイッチである長シャフト確認手段５６が収納されている。錠本体４１の中空部４１ｄの開口４１ｅは、本体蓋５７により閉じられている。
なお、モータ５１、施錠位置検出手段５３、及び長シャフト確認手段５６等の配線は、図が複雑になるため、省略している。
【００３７】
（施錠開錠システムの作用・効果）
次に、施錠開錠システム２の作用・効果について説明する。
はじめに、電子式南京錠４０を施錠する方法を説明する。図１４に示すように、電子式南京錠４０のジョイントシャフト４２は、開錠状態において、短シャフト４２ｂが短シャフト孔４１ａから抜け出ている。長シャフト４２ａは、抜け止め部材４２ｆが錠本体４１と当接することにより、図１４の位置より抜け出ることはない。このとき、摺動ノッチ５４は、付勢バネ５５により付勢され、ガイド孔４３ｂ内に少し突出しており、長シャフト確認手段５６は、オフしている。
また、横孔４１ｃの端部には、図示しない凸部が形成されており、ロック球４４、４５が、横孔４１ｃから抜け落ちることがない。ロッキングカム４６は、カムの谷がロック球４４、４５と当接しており、ジョイントシャフト４２を抜くときには、ロック球４４、４５は、図１４の位置に移動する。ロッキングカム４６が図１４の位置にあるときには、検出板５２の検出ノッチ５２ａが施錠位置検出手段５３の検出板から外れた位置にあるため、施錠位置検出手段５３は、オフしている。
【００３８】
作業者は、ジョイントシャフト４２のＵ字部４２ｃ内にチェーン等を掛けた状態で、短シャフト４２ｂを短シャフト孔４１ａに挿入して、図１５の状態とする。
鍵装置３を、図１２に示すように電子式南京錠４０に近づける。鍵装置３は、図９に示すように電源線１５１から鍵側制御基板１８に電力が供給されている。鍵側制御基板１８から鍵側アンテナ１６に電流が流れると、磁束が発生し、対抗する施錠側アンテナ基板５８に起電力が発生する。この起電力により、電力及び信号が供給される。このように、施錠側制御基板５９に電源が付与される。電源が付与されると、施錠側制御基板５９は鍵側制御基板１８に対し、待機状態であることを送信する。鍵側制御基板１８は、施錠側制御基板５９が待機状態であることを確認した後、暗号ＩＤを送信するとともにモータ駆動指令がなされる。この暗号ＩＤは、別途、配送基地の外部制御装置１７に送信される。なお、暗号ＩＤが外部制御装置１７に送信される際、施錠時間も送信され、記憶される。
このように、毎回、暗号ＩＤを変更でき、かつ暗号ＩＤを、鍵装置３を操作する人に知らせる必要がないため、電子式南京錠４０を開錠できる条件が狭く限定でき、安全性を高めることができる。また、施錠時間が記憶されるため、より安全性を高めることができる。さらに、ＩＤは暗号化されているため、情報の送受信を解析することはできず、専用の鍵装置でしか開錠できないため、安全性を高めることができる。
【００３９】
施錠側制御基板５９に暗号ＩＤが書き込まれ、モータ駆動手段によりモータ５１に電力が供給される。モータ５１が駆動されることにより、図１５に示すモータギア５０、回転軸ギア４９、及び回転軸４８を介して、ロッキングカム４６を回転させ、電子式南京錠４０を施錠状態とする。ロック球４４、４５がジョイントシャフト４２のロック溝４２ｄ、４２ｅと係合しているため、短シャフト４２ｂを錠本体４１から抜くことができない。
図１５の施錠状態では、摺動ノッチ５４は、長シャフト４２ａにより左方向に移動しており、長シャフト確認手段５６は、オンしている。また、ロッキングカム４６が図１３の位置にあるときには、検出板５２の検出ノッチ５２ａが施錠位置検出手段５３の検出板上にあるため、施錠位置検出手段５３は、オンしている。
【００４０】
施錠位置検出手段５３がオンしているのみでは、短シャフト４２ｂが錠本体４１の短シャフト孔４１ａに挿入されていない場合もあり得るが、電子式南京錠４０では、長シャフト４２ａの位置も長シャフト確認手段５６により確認しているので、施錠位置検出手段５３がオンしており、長シャフト確認手段５６がオンしていれば、施錠できていることを確実に確認できる。
電子式南京錠４０は、常に、施錠位置検出手段５３と長シャフト確認手段５６により、開錠・施錠の状態をチェックし、施錠位置検出手段５３または長シャフト確認手段５６のオン・オフ状態に変化があったときには、全ての変化の内容と変化した時刻とを記憶している。そして、全ての変化のうち、施錠位置検出手段５３がオフし、かつ、長シャフト確認手段がオフした場合に、開錠されたと判断し、開錠時刻として記憶している。
【００４１】
そのため、配送基地等の所定の場所以外の場所で、電子式南京錠４０が開錠・施錠された場合には、開錠・施錠の事実、及びその時刻を把握することができる。電子式南京錠４０は、決められた時間に、配送基地の外部制御装置１７に接続され、開閉・施錠された履歴が、外部制御装置１７に吸い上げられる。
本実施例では、施錠位置検出手段５３と長シャフト確認手段５６とをリンクさせて制御していないが、両スイッチが共にオンしている場合にのみ、施錠可能とする制御を行っても良い。  
【００４２】
次に、施錠された電子式南京錠４０が外付けされたバッグが配送基地に配送された後、鍵装置３により、ＩＤを照会する方法と、鍵装置３が電子式南京錠４０に電力を供給及び通信を行う方法について説明する。
電子式南京錠４０を施錠する際と同様に、鍵装置３を、図１２に示すように電子式南京錠４０に近づける。鍵装置３は、図９に示すように電源線１５１から鍵側制御基板１８に電力が供給されている。鍵側制御基板１８から鍵側アンテナ１６に電流が流れると、磁束が発生し、対抗する施錠側アンテナ基板５８に起電力が発生する。この起電力により、電力及び信号が供給される。このように、図１１に示すように、（Ａ）施錠側制御基板５９に電源が付与される。電源が付与されると、（Ｂ）施錠側制御基板５９は鍵側制御基板１８に暗号ＩＤを送信する。鍵側制御基板１８は、その暗号ＩＤを読み取り、復号機１７１により暗号ＩＤを復号する。復号されたＩＤをＩＤ鍵記憶手段１８１により記憶していたＩＤと照合する。復号されたＩＤとＩＤ鍵記憶手段１８１により記憶していたＩＤが一致すると、鍵側制御基板１８より、（Ｃ）モータ駆動指令がなされ、施錠側制御基板５９のモータ駆動手段によりモータ５１に電力が供給される。
【００４３】
従来、モータを駆動するためには、多くの電流を必要とする。ここで、施錠開錠システム２によれば、電動式施錠手段の機構により、最小の電力のみで駆動することができる。すなわち、モータ５１を駆動するのは、モータギア５０、回転軸ギア４９、及び回転軸４８を介してロッキングカム４６を回転させるためだけである。モータ５１が、ロッキングカム４６を直接動かしているのではない。そのため、電子式南京錠に電池を搭載しなくても、鍵装置３によるアンテナを介した最小の電力でモータ５１を駆動することができる。よって、電池を余分に準備する必要はなく、電池切れ等による電池交換の手間を省くことができ、作業の非効率性を回避することができる。
【００４４】
鍵装置３の権限情報及びパスワードの一致が確認でき、電子式南京錠４０は、モータ５１を駆動する。モータ５１が駆動されることにより、モータギア５０、回転軸ギア４９、及び回転軸４８を介して、ロッキングカム４６を回転させ、図１４に示す開錠状態とする。電子式南京錠４０を開錠した開錠時間を記憶する。電子式南京錠４０が開錠されることにより、電子式南京錠４０がかけられていたバッグ１０をひらき、内部に保管された保管物にアクセスすることができる。保管物にアクセスした後に、作業者はバッグ１０を閉め、電子式南京錠４０をかける。作業者は、鍵装置３を近づけることで、モータ５１が駆動し施錠される。鍵装置３が回転され最初の位置に戻り、電子式南京錠４０が施錠されたときに、施錠時間を記憶する。
さらに、今回開錠・施錠した履歴以外の過去分の開錠・施錠時間、作業者ＩＤを鍵装置３に記憶する。過去分の履歴を記憶することにより、過去にバッグ１０が何者かにより開かれ、内部の保管物が逸失したような場合の問題を把握することができる。
【００４５】
以上、説明したように、第２実施形態に係る施錠開錠システム２によれば、施錠装置は、電子式南京錠４０であること、を特徴とするので、外付けすることができるため、容易に施錠することができる。また、南京錠に電池を装着することなく、電子式南京錠４０の開閉を行うことができ、開閉履歴を記憶することができるため、宅配システムのセキュリティを向上させることができる。
【００４６】
尚、本発明は、上記実施の形態に限定されることなく、発明の趣旨を逸脱することのない範囲で色々な応用が可能である。
例えば、第１及び第２実施形態において、暗号ＩＤを利用しているが、単なるＩＤを利用しても良い。
例えば、第１及び第２実施形態において、施錠装置に電池を搭載しても良い。施錠装置は大型化するが、利便性は高まる。
例えば、第１及び第２実施形態において、復号機１７１は外部制御装置１７内に含まれているが、鍵装置３内に配置しても良い。
【符号の説明】
【００４７】
１、２  施錠開錠システム
３    鍵装置
１０  バッグ
１１  施錠装置
１２  バッグ本体
１３  施錠側アンテナ基板
１４  施錠側制御基板
１６  鍵側アンテナ
１８  鍵側制御基板
２４  モータ
２８  カム
２９  ジッパ
４０  電子式南京錠
【図１】
2015092052.tif 000003
【図２】
2015092052.tif 000004
【図３】
2015092052.tif 000005
【図４】
2015092052.tif 000006
【図５】
2015092052.tif 000007
【図６】
2015092052.tif 000008
【図７】
2015092052.tif 000009
【図８】
2015092052.tif 000010
【図９】
2015092052.tif 000011
【図１０】
2015092052.tif 000012
【図１１】
2015092052.tif 000013
【図１２】
2015092052.tif 000014
【図１３】
2015092052.tif 000015
【図１４】
2015092052.tif 000016
【図１５】
2015092052.tif 000017
【図１６】
2015092052.tif 000018
【図１７】
2015092052.tif 000019